(57)【要約】【課題】本発明の課題は、自動販売機の利用性を高めるために、自動販売機利用者の携帯電話により自動販売機から種々の有用な情報を引き出すことのできる方法を提供することにある。【解決手段】自動販売機に情報記憶装置を設け、自動販売機利用者が携帯電話により自動販売機の情報記憶装置から所望の情報を選択することにより、携帯電話に情報を受信し得るようにした。また、自動販売機にインターネットインターフェース部を設け、自動販売機の情報記憶装置からインターネットを介して携帯電話へ情報を転送可能にした。更に、自動販売機と携帯電話に微弱電波インターフェース部を設け、自動販売機の情報記憶装置から微弱電波インターフェース部を介して携帯電話へ情報を転送可能にした。【選択図】  図１
2007052798.tif 000002
【特許請求の範囲】
【請求項１】
自動販売機に情報記憶装置を設け、自動販売機利用者の携帯電話により自動販売機の情報記憶装置から所望の情報を選択することにより、携帯電話に情報を受信し得るようにしたことを特徴とする自動販売機による情報配信方法。
【請求項２】
自動販売機にインターネットインターフェース部を設け、自動販売機の情報記憶装置からインターネットを介して携帯電話へ情報を転送可能にしたことを特徴とする請求項１記載の自動販売機による情報配信方法。
【請求項３】
自動販売機と携帯電話に微弱電波インターフェース部を設け、自動販売機の情報記憶装置から微弱電波インターフェース部を介して携帯電話へ情報を転送可能にしたことを特徴とする請求項１記載の自動販売機による情報配信方法。
【発明の詳細な説明】
【技術分野】
【０００１】
本発明は、自動販売機の利用性を高めるための自動販売機による情報配信方法に関する。
【背景技術】
【０００２】
自動販売機は、自動販売機本体内に収容された商品を対価を支払うことを条件として搬出する自動機械であり、無人で商品を販売し得ること、設置する個所が屋内に限らず屋外でも可能なこと、等の点で有人の店舗と異なる特徴を有するものである。自動販売機そのものの構造については種々改良が加えられ、自動販売機利用者側においては、商品を選択するために要する操作も簡単化され、現金のみならずカードを使用することができ、またポイントカードに見られるような種々のサービスも受けることができ、一方自動販売機を管理する側においては、自動販売機をネットワークに組み込み、商品の補充、機械の保守について合理化が図られ、管理に要する費用も低減しつつある。しかしながら、自動販売機は本来的に対面販売ではないから、自動販売機利用者と自動販売機管理側とのコミュニケーションは極めて薄く、自動販売機利用者が自動販売機に対し不満、要望があってもそれを管理側に伝達する手段に乏しい。一方管理側は自動販売機利用者の実態を知る手段がなく、自動販売機の管理を高める有効な手段を未だ見出していない。
【発明の開示】
【発明が解決しようとする課題】
【０００３】
本発明の課題は、自動販売機の利用性を高めるために、自動販売機利用者側が自動販売機から種々の有用な情報を引き出すことのできる自動販売機による情報配信方法を提供することにある。
【課題を解決するための手段】
【０００４】
上述の課題を解決するため、本願請求項１の発明は、自動販売機に情報記憶装置を設け、自動販売機利用者の携帯電話により自動販売機の情報記憶装置から所望の情報を選択することにより、携帯電話に情報を受信し得るようにした。本願請求項２の発明は、自動販売機にインターネットインターフェース部を設け、自動販売機の情報記憶装置からインターネットを介して携帯電話へ情報を転送可能にした。本願請求項３の発明は、自動販売機と携帯電話に微弱電波インターフェース部を設け、自動販売機の情報記憶装置から微弱電波インターフェース部を介して携帯電話へ情報を転送可能にした。
本発明において携帯電話とは、８００ＭＨｚ帯の無線周波数を用いる通常の携帯電話に限らず、ＰＨＳ、その他の種々の可搬式でデータを無線で送受信し得る電子機器をいう。
【発明の効果】
【０００５】
本発明によれば、携帯電話を使用することにより自動販売機利用者側は種々の有用な情報を自動販売機から引き出すことができるため、自動販売機の利用性を高めるという効果がある。
【発明を実施するための最良の形態】
【０００６】
次に本発明の実施の形態を図に示す実施例について説明する。
図１のａ）は、自動販売機から発せられる情報を携帯電話で引き出すシステムの構成図、図１のｂ）はその動作説明のフロー図である。３１は自動販売機で、主制御部３２にはインターネットアダプタ３３、微弱電波インターフェース部３４、例えばブルートゥース（Bluetooth：登録商標）・モジュールが接続され、主制御部３２内には情報記憶装置３５が設けられている。情報記憶装置３５は予め種々の情報を入力して記憶させてある。また自動販売機には情報呼び出しボタン３６が設けられている。インターネットアダプタ３３はインターネット３９と接続可能であり、微弱電波インターフェース部３４は微弱電波による無線交信が可能である。
今自動販売機利用者３７が自動販売機３１に近付き、情報呼び出しボタン３６を押すと（ステップＳ１）、自動販売機から音声ガイダンスにより携帯電話３８のキー操作が案内される。例えば自動販売機の扱う商品案内を聞きたければ＃１８００、天気予報を聞きたければ＃１９００といったキー操作が指示される。それに従い自動販売機利用者３７が例えば＃１８００のキー操作を行うと（ステップＳ２）、携帯電話３８からインターネット３９を介して主制御部３２に情報＃１８００を要求する旨が伝達される（ステップＳ３）。その結果情報記憶装置３５から＃１８００の情報データが取り出され、そのデータはインターネットアダプタ３３、インターネット３９を介して携帯電話３８に転送され（ステップＳ４）、自動販売機利用者は携帯電話３８を耳に当てることにより情報＃１８００を聞くことができ、或いは携帯電話のディスプレイ上に表示された情報を見ることができる。情報が終了すれば自動的に待機状態に戻る。この場合、通話にフリーダイヤル式を適用すれば自動販売機利用者は無料で情報サービスを受けることができる。情報としては、例えば「只今コーヒーがよく冷えています」、「○○新製品が入荷しました」といった自動販売機の扱う商品に関する情報の他、「天気予報」、「災害情報」、「最新流行歌の情報」、「今×××レストランがトレンディーです」といった種々のものが可能である。なお、情報記憶装置３５に記憶される情報は、自動販売機３１を管理センター３１０と接続して、逐次内容を更新するようにすると有利である。
上述の例では携帯電話と自動販売機との通話はインターネット経由で行うものについて説明したが、携帯電話にも微弱電波インターフェース部（例えばブルートゥース・モジュール）を装備すれば、インターネットを経由することなく、自動販売機の微弱電波インターフェース部３４経由で直接通話することができる。即ちステップＳ２において携帯電話でキー操作を行うと、携帯電話の微弱電波インターフェース部から自動販売機の微弱電波インターフェース部３４に情報要求信号が転送され（ステップＳ５）、その信号に従い情報記憶装置３５から所望の情報データが取り出され、再び自動販売機の微弱電波インターフェース部３４、携帯電話の微弱電波インターフェース部を介して情報が転送され（ステップＳ６）、自動販売機利用者に伝達される。なお、携帯電話にはいずれの場合でも自動販売機から必要な情報を入手するための操作ソフトを装備することが必要である。
【図面の簡単な説明】
【０００７】
【図１】本発明の実施例の、ａ）は構成図、ｂ）は動作説明のためのフロー図である。
【符号の説明】
【０００８】
３１ 自動販売機
３２ 自動販売機の主制御部
３３ インターネットインターフェース部
３４ 微弱電波インターフェース部
３５ 情報記憶装置
３６ 情報呼び出しボタン
３７自動販売機利用者
３８ 携帯電話
３９ インターネット
３１０ 自動販売機管理センター
【図１】
2007052798.tif 000003